(57)【要約】【課題】断線検出機能を備えた電池監視システムにおいて、簡易な構成で断線検出機能の自己診断を行なえるようにする。【解決手段】放電抵抗と放電スイッチング素子が接続された放電経路のオンオフを制御する電流を出力する第１電流源よりも、断線検出機能に用いられる電流を入力する第２電流源の電流を大きくし、第１スイッチによる第１電流源のオンオフ切り換え状態および第２スイッチによる第２電流源のオンオフ切り換え状態と、放電経路中の抵抗に生じる電圧に基づいて、断線検出機能の診断を行なう電池監視システム。【選択図】図１
2018031719.tif 000002
【特許請求の範囲】
【請求項１】
直列接続されて組電池を構成する電池セルを監視する電池監視システムであって、
第１入力端子、第２入力端子、予備入力端子、第１定電流源が第１スイッチを介して電流を出力する向きで接続され、第２定電流源が第２スイッチを介して電流を入力する向きで接続された電流入出力端子を備えた制御部と、
前記電池セルの第１極と第１接続点とを接続する第１信号線と、前記電池セルの第２極と第２接続点とを接続する第２信号線と、
前記第１接続点と前記第２接続点との間で直列に接続された放電抵抗および電圧制御される放電スイッチング素子と、
前記第１接続点と前記第１入力端子とを接続する第１ローパスフィルタと、
前記第２接続点と前記第２入力端子とを接続する第２ローパスフィルタと、
前記放電抵抗と前記放電スイッチング素子との接続点と前記予備入力端子とを接続する信号経路と、
前記電流入出力端子と前記第２接続点とを接続し、接続前記放電スイッチング素子の制御電圧を生成するプルダウン抵抗と、を備え、
前記第２定電流源は、前記第１定電流源よりも大きな電流を流し、
前記制御部は、
前記第１スイッチのオフ状態における、前記第２スイッチのオンオフ切り換え時の前記第２入力端子の電位変化に基づいて前記第２信号線の断線を判断する断線検出機能を有するとともに、
前記第１スイッチおよび前記第２スイッチのオンオフ切り換え状態と、前記放電抵抗に生じる電圧とに基づいて、前記断線検出機能の診断を行なうことを特徴とする電池監視システム。
【請求項２】
前記制御部は、前記第１スイッチをオン、前記第２スイッチをオフとしたときの前記放電抵抗に生じる電圧で、前記第２スイッチでオン固着が生じているか否かを判定することを特徴とする請求項１に記載の電池監視システム。
【請求項３】
前記制御部は、前記第１スイッチをオン、前記第２スイッチをオンとしたときの前記放電抵抗に生じる電圧で、前記第２スイッチでオフ固着が生じているか、もしくは前記第２定電流源で吸込み不良が生じているか否かを判定することを特徴とする請求項１または２に記載の電池監視システム。
【請求項４】
前記制御部は、前記第１スイッチおよび前記第２スイッチの少なくとも一方を切り換えた際の前記放電抵抗に生じる電圧の変化に基づいて、前記第２スイッチでオン固着が生じているか否か、または、前記第２スイッチでオフ固着が生じているか、もしくは前記第２定電流源で吸込み不良が生じているか否かを判定することを特徴とする請求項１に記載の電池監視システム。
【請求項５】
第１入力端子、第２入力端子、予備入力端子、第１定電流源が第１スイッチを介して電流を出力する向きで接続され、第２定電流源が電流を入力する向きで第２スイッチを介して接続された電流入出力端子を備えた制御部と、
監視対象となる電池セルの第１極と第１接続点とを接続する第１信号線と、前記電池セルの第２極と第２接続点とを接続する第２信号線と、
前記第１接続点と前記第２接続点との間で直列に接続された放電抵抗および電圧制御される放電スイッチング素子と、
前記第１接続点と前記第１入力端子とを接続する第１ローパスフィルタと、
前記第２接続点と前記第２入力端子とを接続する第２ローパスフィルタと、
前記放電抵抗と前記放電スイッチング素子との接続点と前記予備入力端子とを接続する信号経路と、
前記電流入出力端子と前記第２接続点とを接続し、接続前記放電スイッチング素子の制御電圧を生成するプルダウン抵抗と、を備え、
前記制御部が、前記第１スイッチのオフ状態における、前記第２スイッチのオンオフ切り換え時の前記第２入力端子の電位変化に基づいて前記第２信号線の断線を判断する断線検出機能を有する、直列接続されて組電池を構成する電池セルを監視する電池監視システムにおける断線検出機能の自己診断方法であって、
前記第２定電流源を、前記第１定電流源よりも大きな電流を流すようにし、
前記第１スイッチおよび前記第２スイッチのオンオフ切り換え状態と、前記放電抵抗に生じる電圧とに基づいて、前記断線検出機能の診断を行なうことを特徴とする断線検出機能の自己診断方法。
【発明の詳細な説明】
【技術分野】
【０００１】
本発明は、直列接続されて組電池を構成する電池セルを監視する電池監視システムに関し、特に、電池セルと接続する信号線の断線を検出する機能の自己診断に関する。
【背景技術】
【０００２】
ハイブリッド自動車や電気自動車のモータ駆動等に用いられる大容量で高出力なバッテリーとして、複数の電池セルが直列に接続された組電池が広く用いられている。大容量で高出力な組電池を安全長寿命に使用するためには、各電池セルの電圧を精密にコントロールする必要があることから、電池セルの電圧を監視・制御するための電池監視システムが知られている。
【０００３】
一般に、電池監視システムは、半導体回路で構成されており、各電池セルの電圧を測定する回路に加え、各電池セルの電圧値を均等化するための放電処理を行なわせる放電回路を備えている。放電回路は、例えば、スイッチング素子でオンオフ可能な短絡経路を電池セルの両極間に設け、定電流源が出力する電流が生成する電圧でスイッチング素子のオンオフ制御を行なう方式が用いられている。
【０００４】
さらに、特許文献１に記載されているように、電池セルと半導体回路とを接続する信号線の断線を検出する断線検出回路を備えた電池監視システムも提案されている。断線検出回路は、放電回路を構成するスイッチング素子のオンオフ制御用電流とは逆方向に電流を流す定電流源で信号線から電流を吸い込んだときの信号線の電圧変化に基づいて、信号線の断線を検出する。
【０００５】
すなわち、信号線は高周波成分のノイズを除去するためにローパスフィルタを介して電圧測定回路に接続しているところ、信号線が断線していなければ電池セルから電流が供給されるため、電流を吸い込んだ際に信号線の電圧は変化しないが、信号線が断線していればローパスフィルタのコンデンサから電流が供給され、信号線の電圧が徐々に低下する。このため、電流を吸い込んだときの信号線の電圧変化に基づいて信号線の断線を検出することができる。
【先行技術文献】
【特許文献】
【０００６】
【特許文献１】特開２０１５−１４４６号公報
【発明の概要】
【発明が解決しようとする課題】
【０００７】
ところで、信号線の断線検出回路自体が故障した場合には、断線が生じているにもかかわらず異常を検出せずに、信号線の断線を放置してしまうおそれがある。このため、電池監視システムの信頼性を高めるためには、断線検出機能の診断を行なうことが好ましい。
【０００８】
しかしながら、断線検出機能の診断のための専用回路や専用装置を別途設けるとすると、構成の複雑化、コストの上昇を招くことになる。そこで、本発明は、断線検出機能を備えた電池監視システムにおいて、簡易な構成で断線検出機能の自己診断を行なえるようにすることを目的とする。
【課題を解決するための手段】
【０００９】
上記課題を解決するため、本発明の第１の態様である電池監視システムは、直列接続されて組電池を構成する電池セルを監視する電池監視システムであって、第１入力端子、第２入力端子、予備入力端子、第１定電流源が第１スイッチを介して電流を出力する向きで接続され、第２定電流源が第２スイッチを介して電流を入力する向きで接続された電流入出力端子を備えた制御部と、前記電池セルの第１極と第１接続点とを接続する第１信号線と、前記電池セルの第２極と第２接続点とを接続する第２信号線と、前記第１接続点と前記第２接続点との間で直列に接続された放電抵抗および電圧制御される放電スイッチング素子と、前記第１接続点と前記第１入力端子とを接続する第１ローパスフィルタと、前記第２接続点と前記第２入力端子とを接続する第２ローパスフィルタと、前記放電抵抗と前記放電スイッチング素子との接続点と前記予備入力端子とを接続する信号経路と、前記電流入出力端子と前記第２接続点とを接続し、接続前記放電スイッチング素子の制御電圧を生成するプルダウン抵抗と、を備え、前記第２定電流源は、前記第１定電流源よりも大きな電流を流し、前記制御部は、前記第１スイッチのオフ状態における、前記第２スイッチのオンオフ切り換え時の前記第２入力端子の電位変化に基づいて前記第２信号線の断線を判断する断線検出機能を有するとともに、前記第１スイッチおよび前記第２スイッチのオンオフ切り換え状態と、前記放電抵抗に生じる電圧とに基づいて、前記断線検出機能の診断を行なうことを特徴とする。
ここで、前記制御部は、前記第１スイッチをオン、前記第２スイッチをオフとしたときの前記放電抵抗に生じる電圧で、前記第２スイッチでオン固着が生じているか否かを判定することができる。
また、前記制御部は、前記第１スイッチをオン、前記第２スイッチをオンとしたときの前記放電抵抗に生じる電圧で、前記第２スイッチでオフ固着が生じているか、もしくは前記第２定電流源で吸込み不良が生じているか否かを判定することができる。
あるいは、前記制御部は、前記第１スイッチおよび前記第２スイッチの少なくとも一方を切り換えた際の前記放電抵抗に生じる電圧の変化に基づいて、前記第２スイッチでオン固着が生じているか否か、または、前記第２スイッチでオフ固着が生じているか、もしくは前記第２定電流源で吸込み不良が生じているか否かを判定するようにしてもよい。
上記課題を解決するため、本発明の第２の態様である断線検出機能の自己診断方法は、第１入力端子、第２入力端子、予備入力端子、第１定電流源が第１スイッチを介して電流を出力する向きで接続され、第２定電流源が電流を入力する向きで第２スイッチを介して接続された電流入出力端子を備えた制御部と、監視対象となる電池セルの第１極と第１接続点とを接続する第１信号線と、前記電池セルの第２極と第２接続点とを接続する第２信号線と、前記第１接続点と前記第２接続点との間で直列に接続された放電抵抗および電圧制御される放電スイッチング素子と、前記第１接続点と前記第１入力端子とを接続する第１ローパスフィルタと、前記第２接続点と前記第２入力端子とを接続する第２ローパスフィルタと、前記放電抵抗と前記放電スイッチング素子との接続点と前記予備入力端子とを接続する信号経路と、前記電流入出力端子と前記第２接続点とを接続し、接続前記放電スイッチング素子の制御電圧を生成するプルダウン抵抗と、を備え、前記制御部が、前記第１スイッチのオフ状態における、前記第２スイッチのオンオフ切り換え時の前記第２入力端子の電位変化に基づいて前記第２信号線の断線を判断する断線検出機能を有する、直列接続されて組電池を構成する電池セルを監視する電池監視システムにおける断線検出機能の自己診断方法であって、前記第２定電流源を、前記第１定電流源よりも大きな電流を流すようにし、前記第１スイッチおよび前記第２スイッチのオンオフ切り換え状態と、前記放電抵抗に生じる電圧とに基づいて、前記断線検出機能の診断を行なうことを特徴とする。
【発明の効果】
【００１０】
本発明によれば、断線検出機能を備えた電池監視システムにおいて、簡易な構成で断線検出機能の自己診断を行なえるようになる。
【図面の簡単な説明】
【００１１】
【図１】本実施形態に係る電池監視システムの構成を示す図である。
【図２】電池セルの放電動作について説明する図である。
【図３】信号線の断線検出動作について説明する図である。
【図４】断線検出回路が正常の場合の、スイッチのオン状態における予備電圧入力端子と電圧入力端子との電位差について説明する図である。
【図５】断線検出回路の正常時、スイッチのオフ固着時、スイッチのオン固着時、定電流源の吸込み不良時それぞれにおける、スイッチのオンオフ状態と電圧入力端子−予備電圧入力端子間の電圧との関係を示す図である。
【図６】断線検出機能の自己診断動作を説明するフローチャートである。
【図７】断線検出機能の自己診断動作の別例を説明するフローチャートである。
【発明を実施するための形態】
【００１２】
本発明の実施形態について、図面を参照して詳細に説明する。図１は、本実施形態に係る電池監視システム１００の構成を示す図である。本図に示すように電池監視システム１００は、制御部１１０を備えており、組電池２００を構成する電池セルＣ（…、Ｃｎ−１、Ｃｎ、…）の電圧を監視・制御する。制御部１１０は、例えば、半導体回路で構成することができる。組電池２００は、例えば、リチウムイオンバッテリーとすることができる。
【００１３】
制御部１１０は、電池セルＣの電圧を測定するための電圧入力端子Ｖ（…、Ｖｎ−１、Ｖｎ、…）、予備的な電圧入力端子Ｖ'（…、Ｖ'ｎ−１、Ｖ'ｎ、…）、電流入出力端子Ｉｎを備えている。電流入出力端子Ｉｎには、電流を出力する向きで定電流源ＩＣ１（…、ＩＣ１ｎ−１、ＩＣ１ｎ、…）がスイッチＳＩ１（…、ＳＩ１ｎ−１、ＳＩ１ｎ、…）を介して接続され、電流を入力する向きで定電流源ＩＣ２（…、ＩＣ２ｎ−１、ＩＣ２ｎ、…）がスイッチＳＩ２（…、ＳＩ２ｎ−１、ＳＩ２ｎ、…）を介して接続されている。
【００１４】
以下では、ｎ番目の電池セルＣｎの監視・制御を行なう構成部位に着目して説明する。直列接続された他の電池セルＣに対しても同様の構成とすることができる。
【００１５】
電池セルＣｎの正極は、電池セルＣｎ＋１の負極とともに、信号線Ｌｎにより接続点Ａｎに接続し、電池セルＣｎの負極は、電池セルＣｎ−１の正極とともに、信号線Ｌｎ−１により接続点Ａｎ−１に接続している。
【００１６】
接続点Ａｎは、抵抗ＲＬｎとコンデンサＣＬｎとで構成されたローパスフィルタＬＰＦｎを介して、制御部１１０の電圧入力端子Ｖｎに接続しており、接続点Ａｎ−１は、抵抗ＲＬｎ−１とコンデンサＣＬｎ−１とで構成されたローパスフィルタＬＰＦｎ−１を介して、制御部１１０の電圧入力端子Ｖｎ−１に接続している。ローパスフィルタＬＰＦは、高周波成分をカットすることにより、信号線Ｌを介して伝搬する高周波成分のノイズを除去するために用いられている。
【００１７】
接続点Ａｎと接続点Ａｎ−１との間には、放電抵抗ＲＢｎとスイッチング部ＳＷｎとが直列に接続された放電用短絡経路が設けられている。本図の例では、スイッチング部ＳＷｎは、ｎＭＯＳトランジスタＳｎとゲートに接続された抵抗Ｒｓｎとで構成されている。抵抗Ｒｓｎの他端は、制御部１１０の電流入出力端子Ｉｎに接続している。
【００１８】
電流入出力端子Ｉｎは、プルダウン抵抗Ｒｇｎを介して接続点Ａｎ−１とも接続している。電流入出力端子Ｉｎが出力する電流によりプルダウン抵抗Ｒｇｎで生じる電圧によりスイッチング部ＳＷｎのオンオフが制御される。具体的には、電流入出力端子Ｉｎが電流を出力するとスイッチング部ＳＷｎがオンに切り替わる。
【００１９】
放電用短絡経路の放電抵抗ＲＢｎとスイッチング部ＳＷｎとの接続点は、抵抗ＲＬ'ｎとコンデンサＣＬ'ｎとで構成されたローパスフィルタＬＰＦ'ｎを介して、制御部１１０の予備電圧入力端子Ｖ'ｎに接続している。
【００２０】
次に、上記構成の電池監視システム１００の動作について説明する。まず、基本的な動作である電池セルＣｎの電圧Ｖｃの測定動作について説明する。この動作では、制御部１１０は、スイッチＳＩ１ｎ、ＳＩ２ｎともオフにする。電圧入力端子Ｖｎと電圧入力端子Ｖｎ−１との電位差は電池セルＣｎの電圧Ｖｃに相当するため、制御部１１０は、電池セルＣｎの電圧Ｖｃを測定することができる。このとき、スイッチング部ＳＷｎはオフで、放電抵抗ＲＢｎに電流は流れないため、予備電圧入力端子Ｖ'ｎは、電圧入力端子Ｖｎと同電位となる。このため、予備電圧入力端子Ｖ'ｎと電圧入力端子Ｖｎ−１との電位差あるいは予備電圧入力端子Ｖ'ｎと予備電圧入力端子Ｖ'ｎ−１との電位差を電圧Ｖｃとして予備的に測定してもよい。
【００２１】
なお、電圧入力端子Ｖｎと電圧入力端子Ｖｎ−１との電位差は、信号線Ｌｎ−１が断線していなければ、スイッチング部ＳＷｎのオンオフ状態、スイッチＳＩ１ｎ、スイッチＳＩ２ｎのオンオフ状態にかかわらず電池セルＣｎの電圧Ｖｃと等しくなる。
【００２２】
図２を参照して、電池セルＣｎの放電動作について説明する。電池セルＣｎの放電動作は、各電池セルＣの電圧を均等化するために必要に応じて行なう。この動作では、制御部１１０は、スイッチＳＩ１ｎをオンにし、スイッチＳＩ２ｎをオフにする。これにより、定電流源ＩＣ１ｎからの電流Ｉ１が電流入出力端子からプルダウン抵抗Ｒｇｎに流れ、スイッチング部ＳＷｎがオンとなる。この結果、放電用短絡経路に電流が流れ、電池セルＣｎが放電する。
【００２３】
図３を参照して、信号線Ｌｎ−１の断線検出動作について説明する。この動作では、制御部１１０は、スイッチＳＩ１ｎをオフにし、スイッチＳＩ２ｎをオフからオンに切り替える。これにより、定電流源ＩＣ２ｎが吸い込む電流Ｉ２がプルダウン抵抗Ｒｇｎから電流入出力端子に流れる。図３（ａ）に示すように、信号線Ｌｎ−１が断線していないときは、この電流は電池セルＣから供給される。このため、スイッチＳＩ２ｎのオフからオンへの切り換え前後で電圧入力端子Ｖｎ−１の電位は変化しない。
【００２４】
一方、図３（ｂ）に示すように、信号線Ｌｎ−１が断線しているときは、この電流はローパスフィルタＬＰＦｎ−１を構成するコンデンサＣＬｎ−１から供給される。このため、スイッチＳＩ２ｎをオフからオンに切り換えると、電圧入力端子Ｖｎ−１の電位が徐々に低下する。
【００２５】
したがって、制御部１１０は、スイッチＳＩ１ｎをオフにし、スイッチＳＩ２ｎをオフからオンに切り替えたときの電圧入力端子Ｖｎ−１の電位変化を測定することで、信号線Ｌｎ−１の断線を検出することができる。ここで、スイッチＳＩ２ｎと定電流源ＩＣ２ｎとは、信号線の断線検出機能のために設けられた回路であるため、断線検出回路と称する。
【００２６】
断線検出回路が故障すると、信号線の断線が生じているにもかかわらず、断線検出動作で異常を検出せずに断線を放置してしまうおそれがある。断線検出回路の故障としては、スイッチＳＩ２ｎのオン固着、スイッチＳＩ２ｎのオフ固着、定電流源ＩＣ２ｎの吸込み不良が考えられる。
【００２７】
そこで、本実施形態の制御部１１０は、以下に説明する断線検出機能の自己診断動作を行なう。断線検出機能の自己診断動作では、スイッチＳＩ１ｎのオン状態におけるスイッチＳＩ２ｎのオンオフ状態と、予備電圧入力端子Ｖ'ｎと電圧入力端子Ｖｎあるいは電圧入力端子Ｖｎ−１との電位差に基づいて診断を行なう。ここで、定電流源ＩＣ１が出力する電流Ｉ１よりも、定電流源ＩＣ２が入力する電流Ｉ２の方が大きくなるようにあらかじめ設定しておく。
【００２８】
断線検出回路が正常の場合の、スイッチＳＩ１ｎのオン状態における予備電圧入力端子Ｖ'ｎと電圧入力端子Ｖｎあるいは電圧入力端子Ｖｎ−１との電位差について図４を参照して説明する。なお、電圧入力端子Ｖｎと電圧入力端子Ｖｎ−１との電位差は、電池セル電圧Ｖｃであるものとする。
【００２９】
図４（ａ）は、スイッチＳＩ２ｎがオフ状態、すなわち、放電動作時である。このとき、放電電流が放電抵抗ＲＢｎとスイッチング部ＳＷｎを流れるため、電圧入力端子Ｖｎと予備電圧入力端子Ｖ'ｎとの電位差はＶｃとなり、予備電圧入力端子Ｖ'ｎと電圧入力端子Ｖｎ−１との電位差は０となる。なお、簡単のため、スイッチング部ＳＷｎのオン抵抗は０としている。
【００３０】
図４（ｂ）は、スイッチＳＩ２ｎがオン状態である。定電流源ＩＣ１が出力する電流Ｉ１よりも、定電流源ＩＣ２が入力する電流Ｉ２の方が大きいため、電流入出力端子が電流を吸込み、スイッチング部ＳＷｎはオフとなる。このため、電圧入力端子Ｖｎと予備電圧入力端子Ｖ'ｎとの電位差は０となり、予備電圧入力端子Ｖ'ｎと電圧入力端子Ｖｎ−１との電位差はＶｃとなる。
【００３１】
仮に、スイッチＳＩ２ｎでオフ固着が生じていると、スイッチＳＩ２ｎをオンに切り替えても、図４（ａ）の状態となり、スイッチＳＩ２ｎでオン固着が生じていると、スイッチＳＩ２ｎをオフに切り替えても、図４（ｂ）の状態となる。また、定電流源ＩＣ２ｎで吸込み不良が生じ、吸い込む電流Ｉ２が、定電流源ＩＣ１ｎの出力する電流Ｉ１よりも小さいと、スイッチＳＩ２ｎをオンに切り替えても、図４（ａ）と同等の状態となる。
【００３２】
図５は、断線検出回路の正常時、スイッチＳＩ２ｎオフ固着時、スイッチＳＩ２ｎオン固着時、定電流源ＩＣ２ｎ吸込み不良時それぞれにおける、スイッチＳＩ１ｎ、スイッチＳＩ２ｎのオンオフ状態と電圧入力端子Ｖｎ−予備電圧入力端子Ｖ'ｎ間の電圧との関係を示している。なお、括弧内は、予備電圧入力端子Ｖ'ｎ−電圧入力端子Ｖｎ−１間の電圧を示している。
【００３３】
図５において、網掛け部分は正常時と異なる特徴的な電圧である。具体的には、スイッチＳＩ１ｎオン、スイッチＳＩ２ｎオフの状態２において、ＳＩ２ｎがオン固着していると正常時と異なる電圧状態となる。また、スイッチＳＩ１ｎオン、スイッチＳＩ２ｎオンの状態３において、スイッチＳＩ２ｎでオフ固着が生じている、あるいは、定電流源ＩＣ２ｎで吸込み不良が生じていると正常時と異なる電圧状態となる。
【００３４】
図５の網掛け部分に着目すると、制御部１１０は、例えば、図６のフローチャートに示す動作を行なうことで、断線検出機能の自己診断を行なうことができる。以下の例では、電圧入力端子Ｖｎ−予備電圧入力端子Ｖ'ｎ間の電圧で診断を行なうが、予備電圧入力端子Ｖ'ｎ−電圧入力端子Ｖｎ−１間の電圧で診断を行なってもよい。いずれの場合も、放電抵抗ＲＢｎに生じる電圧に基づいて診断を行なうことになる。
【００３５】
まず、判定基準値Ｔｈを設定する（Ｓ１０１）。ここで、判定基準値Ｔｈは、電圧入力端子Ｖｎ−予備電圧入力端子Ｖ'ｎ間の電圧が０であるかＶｃであるかを判別するための閾値である。このため、例えば、０に近い値をあらかじめ設定しておくことができる。あるいは、事前に測定した電池セル電圧Ｖｃに基づいて設定してもよい。この場合、０とＶｃとの間に判定基準値Ｔｈを設定する。
【００３６】
スイッチＳＩ１ｎをオンにして、スイッチＳＩ２ｎをオフにする（Ｓ１０２）。この状態で、電圧入力端子Ｖｎ−予備電圧入力端子Ｖ'ｎ間の電圧を測定し、判定基準値Ｔｈより小さいかどうかを調べる（Ｓ１０３）。この結果、判定基準値Ｔｈより小さい場合には（Ｓ１０３：Ｙｅｓ）、図５における状態２の網掛け部分に相当するため、スイッチＳＩ２ｎでオン固着が生じていると判定する（Ｓ１０４）。
【００３７】
一方、判定基準値Ｔｈより小さくない場合には（Ｓ１０３：Ｎｏ）、オン固着は生じていないものとして、スイッチＳＩ１ｎをオンにしたまま、スイッチＳＩ２ｎをオンにする（Ｓ１０５）。この状態で、電圧入力端子Ｖｎ−予備電圧入力端子Ｖ'ｎ間の電圧を測定し、判定基準値Ｔｈより大きいかどうかを調べる（Ｓ１０６）。この結果、判定基準値Ｔｈより大きい場合には（Ｓ１０６：Ｙｅｓ）、図５における状態３の網掛け部分に相当するため、スイッチＳＩ２ｎでオフ固着が生じている、もしくは定電流源ＩＣ２ｎで吸込み不良が生じていると判定する（Ｓ１０７）。
【００３８】
一方、判定基準値Ｔｈより大きくない場合には（Ｓ１０６：Ｎｏ）、断線検出回路は正常であると判定する（Ｓ１０８）。もちろん、スイッチＳＩ１ｎオン、スイッチＳＩ２ｎオフ（Ｓ１０２）とスイッチＳＩ１ｎオン、スイッチＳＩ２ｎオン（Ｓ１０５）の判定順序は逆でもよい。
【００３９】
あるいは、図７のフローチャートに示す動作を行なうことでも、制御部１１０は、断線検出機能の自己診断を行なうことができる。本動作では、スイッチＳＩ１ｎをオフ、スイッチＳＩ２ｎをオフの状態から（Ｓ２０１）、スイッチＳＩ１ｎだけをオンにする（Ｓ２０２）。
【００４０】
このとき、図５の状態１→状態２に示すように、ＳＩ２ｎでオン固着が生じている場合だけ、電圧入力端子Ｖｎ−予備電圧入力端子Ｖ'ｎ間の電圧が変化しない。このため、電圧入力端子Ｖｎ−予備電圧入力端子Ｖ'ｎ間の電圧が変化しているかどうかを調べ（Ｓ２０３）、変化していない場合に（Ｓ２０３：Ｎｏ）、ＳＩ２ｎでオン固着が生じていると判定する（Ｓ２０４）。なお、電圧が変化しているかどうかの判定用閾値をセル電圧Ｖｃ等に基づいて別途設定してもよい。
【００４１】
一方、変化している場合（Ｓ２０３：Ｙｅｓ）には、オン固着は生じていないものとして、スイッチＳＩ１ｎをオン、スイッチＳＩ２ｎをオフの状態から、スイッチＳＩ２ｎもオンにする（Ｓ２０５）。
【００４２】
このとき、図５の状態２→状態３に示すように、ＳＩ２ｎでオフ固着が生じている、あるいは、定電流源ＩＣ２ｎで吸込み不良が生じている場合には、電圧入力端子Ｖｎ−予備電圧入力端子Ｖ'ｎ間の電圧が変化しない。このため、電圧入力端子Ｖｎ−予備電圧入力端子Ｖ'ｎ間の電圧が変化しているかどうかを調べ（Ｓ２０６）、変化していない場合に（Ｓ２０６：Ｎｏ）、ＳＩ２ｎでオフ固着が生じている、もしくは定電流源ＩＣ２ｎで吸込み不良が生じていると判定する（Ｓ２０７）。
【００４３】
一方、変化している場合には（Ｓ２０６：Ｙｅｓ）、断線検出回路は正常であると判定する（Ｓ２０８）。なお、スイッチＳＩ１ｎオン、スイッチＳＩ２ｎオン（Ｓ２０１）とスイッチＳＩ１ｎオン、スイッチＳＩ２ｎオフ（Ｓ２０２）とスイッチＳＩ１ｎオン、スイッチＳＩ２ｎオン（Ｓ２０５）の順序は、変化の判定基準を図５に対応させることで任意に変更することができる。
【００４４】
例えば、スイッチＳＩ１ｎオフ、スイッチＳＩ２ｎオフの状態１からスイッチＳＩ１ｎオン、スイッチＳＩ２ｎオンの状態３に変化させたときには、電圧入力端子Ｖｎ−予備電圧入力端子Ｖ'ｎ間の電圧が変化した場合に、ＳＩ２ｎでオフ固着が生じている、あるいは、定電流源ＩＣ２ｎで吸込み不良が生じていると判定する判定基準を用いるようにする。
【００４５】
このように、本実施形態の電池監視システム１００は、放電動作用に設けられた定電流源ＩＣ１およびスイッチＳＩ１と、断線検出動作用に設けられた定電流源ＩＣ２およびスイッチＳＩ２を用いて断線検出機能の診断を行なっている。このため、断線検出機能の診断のための専用回路や専用装置が不要であり、簡易な構成で断線検出機能の自己診断を行なうことができる。
【００４６】
以上、本発明の実施形態について説明した。ただし、本発明の上記の実施形態に限られず種々の変形が可能である。
【符号の説明】
【００４７】
１００    電池監視システム
１１０    制御部
２００    組電池
Ｃ        電池セル
ＣＬ      コンデンサ
ＣＬ'     コンデンサ
ＩＣ１    定電流源
ＩＣ２    定電流源
Ｉｎ      電流入出力端子
Ｌｎ      信号線
ＬＰＦ    ローパスフィルタ
ＬＰＦ'   ローパスフィルタ
ＲＢ      放電抵抗
Ｒｇ      プルダウン抵抗
ＳＩ１    スイッチ
ＳＩ２    スイッチ
ＳＷｎ    スイッチング部
Ｖｎ      電圧入力端子
Ｖ'ｎ     予備電圧入力端子
【図１】
2018031719.tif 000003
【図２】
2018031719.tif 000004
【図３】
2018031719.tif 000005
【図４】
2018031719.tif 000006
【図５】
2018031719.tif 000007
【図６】
2018031719.tif 000008
【図７】
2018031719.tif 000009